(57)【要約】【課題】光源を交換すべきであること、及び交換すべき光源の位置を明確に報知することが可能な投写型表示装置及びその制御方法を提供する。【解決手段】ランプユニット４０の点灯中に、操作パネル３１の電源キーが操作されると、制御部３０は、ランプ駆動部３５に対して消灯の指示を行うとともに、計時部３０ａによってランプユニット４０の累積点灯時間を更新する。ランプ駆動部３５が、制御部３０の指示に応じてランプユニット４０に対する電源供給を停止してランプユニット４０が消灯すると、制御部３０は、更新された累積点灯時間と交換目安時間とを比較し、累積点灯時間が交換目安時間を超過しているか否かを判断する。この結果、交換目安時間を超過している場合には、ソレノイド駆動部３６に対して、ソレノイド５０に対する通電を指示して、ランプカバーを開放させる。【選択図】図７
2007218948.tif 000002
【特許請求の範囲】
【請求項１】
交換可能に備えられた光源と、
前記光源から射出された光を画像データに応じて変調する光変調装置と、
前記光変調装置で変調された光を拡大投写する投写光学系と、
前記光源、前記光変調装置、及び前記投写光学系を含む装置本体を収容する筐体と、
前記光源の累積点灯時間を計測する計時部と、
前記計時部で計測された前記累積点灯時間に基づいて、前記光源が交換すべき状態であるか否かを判定する判定部と、
前記判定部が前記光源を交換すべき状態であると判定した場合に、前記光源、或いは前記光源が収容された部位を塞ぐカバー部材を、前記筐体から突出させる突出部と、
を備えたことを特徴とする投写型表示装置。
【請求項２】
請求項１に記載の投写型表示装置であって、前記突出部は、前記光源が消灯中の場合に、前記光源、或いは前記カバー部材を突出させることを特徴とする投写型表示装置。
【請求項３】
請求項１又は２に記載の投写型表示装置であって、前記光源は、前記計時部で計測された前記累積点灯時間を記憶する記憶部を備えたことを特徴とする投写型表示装置。
【請求項４】
請求項３に記載の投写型表示装置の制御方法であって、
前記光源が前記筐体内に挿入されたときに、前記記憶部に記憶されている前記累積点灯時間を読み出す第１のステップと、
読み出された前記累積点灯時間に基づいて、当該光源が、すでに交換すべき状態であるか否かを判定する第２のステップと、
前記第２のステップにおいて、すでに交換すべき状態であると判定された場合に、前記光源、或いは前記光源が収容された部位を塞ぐカバー部材の突出を、所定時間猶予する第３のステップと、
を備えたことを特徴とする投写型表示装置の制御方法。
【発明の詳細な説明】
【技術分野】
【０００１】
本発明は、光源から射出された光を画像データに応じて変調し、スクリーン等に画像を投写する投写型表示装置及びその制御方法に関する。
【背景技術】
【０００２】
投写型表示装置の光源として用いられる超高圧水銀ランプやメタルハライドランプ等の放電型光源ランプは、使用時間（点灯時間）が累積されるにつれて輝度が徐々に低下していく。そのまま長期間使用を継続すると、輝度の低下により画像の視認性が損なわれていくとともに、ランプの破損が生じやすくなってしまうため、そのような症状が現れる前に光源ランプ（ランプユニット）を新しいものに交換することが望ましい。このため、ランプ交換の目安となる時間が経過した場合に、投写画像上にランプ交換を促すメッセージを表示する投写型表示装置が提案されている（例えば、特許文献１参照）。
【０００３】
【特許文献１】特開２０００−２６７０６１号公報
【発明の開示】
【発明が解決しようとする課題】
【０００４】
しかしながら、機器の扱いに不慣れなユーザは、上記のようなメッセージが表示されても、交換方法はもちろん、光源ランプが装着されている場所さえも分からずにそのまま放置してしまう場合が多い。このため、そのまま継続して使用されることにより、適正な輝度での画像表示ができなくなるうえ、画像の鑑賞中にランプが破損してしまった場合には、ユーザを一層混乱させてしまうという問題を有していた。
【０００５】
本発明は上記問題を鑑みてなされたものであり、その目的は、光源を交換すべきであること、及び交換すべき光源の位置を明確に報知することが可能な投写型表示装置及びその制御方法を提供することにある。
【課題を解決するための手段】
【０００６】
本発明の投写型表示装置は、交換可能に備えられた光源と、前記光源から射出された光を画像データに応じて変調する光変調装置と、前記光変調装置で変調された光を拡大投写する投写光学系と、前記光源、前記光変調装置、及び前記投写光学系を含む装置本体を収容する筐体と、前記光源の累積点灯時間を計測する計時部と、前記計時部で計測された前記累積点灯時間に基づいて、前記光源が交換すべき状態であるか否かを判定する判定部と、前記判定部が前記光源を交換すべき状態であると判定した場合に、前記光源、或いは前記光源が収容された部位を塞ぐカバー部材を、前記筐体から突出させる突出部とを備えたことを特徴とする。
【０００７】
この投写型表示装置によれば、判定部が光源を交換すべき状態であると判定した場合に、突出部が、光源或いはそのカバー部材を筐体から突出させるため、ユーザは、光源を交換すべきであること、及び交換すべき光源の位置を容易に知ることが可能となる。
【０００８】
この投写型表示装置において、前記突出部は、前記光源が消灯中の場合に、前記光源、或いは前記カバー部材を突出させることが望ましい。
【０００９】
この投写型表示装置によれば、突出部が、光源の消灯中に光源やカバー部材を突出させるため、画像の鑑賞中にこれらが突出することはなく、画像の鑑賞が妨げられずに済む。
【００１０】
この投写型表示装置において、前記光源は、前記計時部で計測された前記累積点灯時間を記憶する記憶部を備えることが望ましい。
【００１１】
この投写型表示装置によれば、累積点灯時間を記憶する記憶部が光源に備えられているため、新たに装着された光源の使用履歴を本体側で知ることが可能となる。この結果、新たに装着された光源の使用履歴に拘わらず、その交換時期をより正確に知ることが可能となり、適切な時期に光源、或いはカバー部材を突出させることが可能となる。
【００１２】
本発明の投射型表示装置の制御方法は、上記投写型表示装置を制御する方法であって、前記光源が前記筐体内に挿入されたときに、前記記憶部に記憶されている前記累積点灯時間を読み出す第１のステップと、読み出された前記累積点灯時間に基づいて、当該光源が、すでに交換すべき状態であるか否かを判定する第２のステップと、前記第２のステップにおいて、すでに交換すべき状態であると判定された場合に、前記光源、或いは前記光源が収容された部位を塞ぐカバー部材の突出を、所定時間猶予する第３のステップとを備えたことを特徴とする。
【００１３】
この投写型表示装置の制御方法によれば、すでに交換すべき状態にある光源が挿入された場合に、光源やカバー部材の突出動作を所定時間猶予するため、この光源を用いた画像の鑑賞が可能となる。この結果、新しい光源が手元にない場合のように、光源の交換が困難な状況下でも、画像を鑑賞できなくなる事態を避けることが可能となる。
【００１４】
また、上述した投写型表示装置及びその制御方法が、投写型表示装置に備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１５】
（第１実施形態）
以下、本発明の第１実施形態に係る投写型表示装置について、図面を参照して説明する。
図１及び図２は、投写型表示装置としてのプロジェクタを示す斜視図である。
両図に示すように、プロジェクタ１は、前面を覆うフロントケース２１、上面を覆うアッパーケース２２、底面を覆うロアーケース２３等からなる筐体２で囲まれた構成を有している。筐体２の前面には、画像（光学像）を投写する投写レンズ１６０が露出しており、筐体２の背面には、外部の画像供給装置から画像データが入力される接続端子（図示せず）が配設されている。
【００１６】
筐体２の上面には、操作パネル３１と、ランプカバー２４が設けられている。操作パネル３１は、電源のオン・オフを行うための電源キーや、メニュー画像を合成表示するためのメニューキー、入力ソースを切り替えるためのソースキー等、複数のキーを備えており、ユーザは、操作パネル３１上の各キーを操作することにより、プロジェクタ１に対して各種指示を行うことができる。
【００１７】
ランプカバー２４は、略長方形形状のカバー部材であり、筐体２内に備えられる光源としてのランプユニット４０を保護している。また、ランプカバー２４の一端側には、アッパーケース２２との間で図示しないヒンジ機構が形成されており、他端（開放端）側を持ち上げることによってランプカバー２４を開くことができるようになっている。ランプカバー２４を開くと、筐体２内に形成された凹状のランプ収容部４が露出し、ランプ収容部４に装着されたランプユニット４０を交換することが可能となる。
【００１８】
図３は、ランプユニット４０の概略構成を示す平面図であり、ランプユニット４０を底面側（ランプ収容部４の底面に対向する側）から見た図である。また、図４は、ランプカバー２４を開いた状態のプロジェクタ１を上面側から見た平面図である。
図３に示すように、ランプユニット４０は、超高圧水銀ランプやメタルハライドランプ等の放電型光源ランプからなる光源ランプ４１を有しており、その他に、リフレクタ４２、前面ガラス４３、コネクタ４４、ハウジング部材４５等を備えている。リフレクタ４２は、回転楕円体状、或いは回転放物面体状に形成された凹状の反射面４２ａを備えており、反射面４２ａに囲まれるように備えられた光源ランプ４１の光を、開口端４２ｂ側に向けて反射する。なお、リフレクタ４２の開口端４２ｂには、光源ランプ４１を保護するための前面ガラス４３が貼り付けられている。コネクタ４４は、光源ランプ４１に電源を供給するための接続端子であり、ランプユニット４０をプロジェクタ１のランプ収容部４に装着すると、ランプ収容部４の底面に備えられた本体側のコネクタ５（図４参照）に接続される。ハウジング部材４５は、ランプユニット４０の外壁をなす箱状体であり、光源ランプ４１と前面ガラス４３とが取り付けられた状態のリフレクタ４２、及びコネクタ４４を支持するとともに、これらを保護している。
【００１９】
図１、図２及び図４に示すように、ランプカバー２４は、上面側からの平面視（図４参照）でランプ収容部４よりも大きな外形形状を有しており、ランプカバー２４を閉じると、ランプカバー２４の裏面の周縁部は、ランプ収容部４を囲むようにアッパーケース２２に形成された凹部２５の底面２５ａに当接する。凹部２５の深さは、ランプカバー２４の厚さと略同一の寸法になっており、閉じた状態（図１参照）でのランプカバー２４の表面は、アッパーケース２２の表面と略同一面上に位置する。
【００２０】
ランプカバー２４の左右両端部には、ランプカバー２４の裏面側に向かって突出する板状の保持部材２６が備えられており、凹部２５の底面２５ａには、この保持部材２６と係合する貫通孔２７が形成されている。また、図４に示すように、凹部２５には、ランプカバー２４の開放端側の略中央に対応する位置に、ランプカバー２４を開放するためのプッシュ型のソレノイド５０が備えられている。ソレノイド５０は、そのプランジャ５１の上昇動作によって、ランプカバー２４を筐体２から突出させるものであり、本発明の突出部に相当する。
【００２１】
図５（ａ）〜（ｃ）は、ランプカバー２４の保持構造を説明するための説明図であり、ランプカバー２４の保持部材２６の周辺構造を示す断面図である。
図５（ａ）〜（ｃ）に示すように、保持部材２６の外面の先端側には、外側に向かって突出する半球状の凸部２６ａが形成されている。凸部２６ａは、ランプカバー２４が閉じた状態では、貫通孔２７の外側壁部２７ａの下端２７ｂに係止されており、ランプカバー２４が容易に（弱い力で）開かないようになっている（図５（ａ）参照）。ここで、ランプカバー２４の開放端に対して所定以上の力を上方に作用させると、保持部材２６の先端側が内側に向かって撓むため、保持部材２６が貫通孔２７内を移動可能となり、ランプカバー２４を上昇させることができる（図５（ｂ）参照）。ランプカバー２４をさらに上昇させて、凸部２６ａをアッパーケース２２の表面上に露出させると、保持部材２６の撓みが元に戻り、凸部２６ａの先端が貫通孔２７の内壁面２７ｃ（凹部２５の内壁面）よりも外側に突出する。このため、この状態で、ランプカバー２４に対して自重程度の弱い力が下向きに作用しても、凸部２６ａがアッパーケース２２の表面に当接するため、ランプカバー２４が自然に閉じることはなく、半開きの状態が維持される（図５（ｃ）参照）。つまり、ランプカバー２４を閉じる際にも、保持部材２６を撓ませるために所定以上の力を加える必要がある。
【００２２】
図６（ａ）、（ｂ）は、ランプ収容部４周辺の側断面図であり、（ａ）は、ランプカバー２４が閉じた状態、（ｂ）は、ランプカバー２４が開いた状態を示している。
図６（ａ）、（ｂ）に示すように、ソレノイド５０は、アッパーケース２２に形成された凹部２５の底面２５ａの裏側で、ランプカバー２４の開放端側部位に対応する位置に配設されている。凹部２５の底面２５ａには、貫通孔２８が形成されており、ソレノイド５０のプランジャ５１が貫通孔２８を通って上下動可能になっている。このため、ソレノイド５０に通電を行うと、プランジャ５１が上方に移動して、保持部材２６の凸部２６ａ（図５参照）がアッパーケース２２の表面上に露出するまでランプカバー２４の開放端を押し上げる。この結果、図５（ｂ）に示すように、ランプカバー２４が半開きの状態となる。その後、ソレノイド５０への通電を停止させると、プランジャ５１は、自重により下方に移動するが、図５（ｃ）に示したように、保持部材２６の凸部２６ａがアッパーケース２２の表面で係止されるため、ランプカバー２４は半開きの状態を維持する。
【００２３】
図７は、プロジェクタ１の概略構成を示すブロック図である。
図７に示すように、プロジェクタ１は、画像の投写を行う画像投写部１０と、制御部３０と、上述した操作パネル３１と、画像データ変換部３２と、画像データ処理部３３と、ライトバルブ駆動部３４と、ランプ駆動部３５と、ソレノイド駆動部３６と、上述したソレノイド５０とを有している。
【００２４】
まず、画像投写部１０について説明する。画像投写部１０は、上述したランプユニット４０、３つの液晶ライトバルブ１４０Ｒ，１４０Ｇ，１４０Ｂ、上述した投写レンズ１６０等によって構成されている。
図８は、画像投写部１０の構成をより詳細に示す構成図であり、ランプユニット４０から射出された光がスクリーンＳＣに至るまでの光路を示している。
図８に示すように、画像投写部１０は、照明光学系１１０と、色光分離光学系１２０と、リレー光学系１３０と、光変調装置としての３つの液晶ライトバルブ１４０Ｒ，１４０Ｇ，１４０Ｂと、クロスダイクロイックプリズム１５０と、投写光学系としての投写レンズ１６０とを備えている。
【００２５】
照明光学系１１０は、ランプユニット４０と、第１のレンズアレイ１１１と、第１の反射ミラー１１２と、第２のレンズアレイ１１３と、偏光変換素子１１４と、重畳レンズ１１５とを備えている。ランプユニット４０から射出された光線束は、微小なレンズ１１１ａがマトリクス状に配置された第１のレンズアレイ１１１によって多数の微小な光線束に分割された後、第１の反射ミラー１１２で反射されて、第２のレンズアレイ１１３に入射する。第２のレンズアレイ１１３及び重畳レンズ１１５は、分割された光線束のそれぞれが、照明対象である３つの液晶ライトバルブ１４０Ｒ，１４０Ｇ，１４０Ｂの全体を照射するように備えられている。このため、各光線束が液晶ライトバルブ１４０Ｒ，１４０Ｇ，１４０Ｂで重畳され、液晶ライトバルブ１４０Ｒ，１４０Ｇ，１４０Ｂの全体がほぼ均一に照明される。
【００２６】
偏光変換素子１１４は、ランプユニット４０からの光を液晶ライトバルブ１４０Ｒ，１４０Ｇ，１４０Ｂで効率よく利用可能とするため、特定の偏光方向を有する偏光光に揃える機能を有している。照明光学系１１０を射出した偏光光は、色光分離光学系１２０に入射する。
【００２７】
色光分離光学系１２０は、第１のダイクロイックミラー１２１と、第２の反射ミラー１２２と、第２のダイクロイックミラー１２３とを備えており、照明光学系１１０から射出された光を、波長域の異なる３色の光に分離する。第１のダイクロイックミラー１２１は、略赤色の光を反射させるとともに、反射する光よりも短波長の光を透過する。第１のダイクロイックミラー１２１で反射された赤色光Ｒは、第２の反射ミラー１２２でさらに反射されて赤色光用の液晶ライトバルブ１４０Ｒを照明する。
【００２８】
第１のダイクロイックミラー１２１を透過した光のうち、緑色光Ｇは、第２のダイクロイックミラー１２３によって反射されて緑色光用の液晶ライトバルブ１４０Ｇを照明する。また、青色光Ｂは、第２のダイクロイックミラー１２３を透過し、リレー光学系１３０を通過して、青色光用の液晶ライトバルブ１４０Ｂを照明する。
【００２９】
なお、青色光Ｂの経路は、他の色光の経路に比べて長くなってしまうことから、光線束の発散によって液晶ライトバルブ１４０Ｂへの照明効率が低下するのを抑制するために、青色光Ｂの経路には、リレー光学系１３０が設けられている。リレー光学系１３０は、入射側レンズ１３１と、第３の反射ミラー１３２と、リレーレンズ１３３と、第４の反射ミラー１３４と、射出側レンズ１３５とを備えている。色光分離光学系１２０から射出した青色光Ｂは、入射側レンズ１３１によってリレーレンズ１３３の近傍で収束し、射出側レンズ１３５に向けて発散する。
【００３０】
液晶ライトバルブ１４０Ｒ，１４０Ｇ，１４０Ｂのそれぞれは、一対の透明基板間に液晶が封入された液晶パネル１４１を備えており、液晶パネル１４１の内面には、液晶に対して微小領域（画素）毎に駆動電圧を印加可能な透明電極（画素電極）がマトリクス状に形成されている。また、液晶パネル１４１の入射側表面及び射出側表面には、それぞれ入射側偏光板１４２及び射出側偏光板１４３が貼り付けられている。入射側偏光板１４２及び射出側偏光板１４３は、それぞれ特定の偏光方向の偏光光のみを透過可能であり、入射側偏光板１４２は、偏光変換素子１１４によって揃えられた偏光方向の偏光光を透過可能となっている。このため、各液晶ライトバルブ１４０Ｒ，１４０Ｇ，１４０Ｂに照射された各色光の大部分は入射側偏光板１４２を透過して、液晶パネル１４１に入射する。
【００３１】
ここで、液晶パネル１４１の各画素に、画像データに応じた駆動電圧が印加されると、液晶パネル１４１に入射した光は、駆動電圧に応じて変調され、画素毎に異なる偏光方向を有した偏光光となる。この偏光光のうち、射出側偏光板１４３を透過可能な偏光成分のみが液晶ライトバルブ１４０Ｒ，１４０Ｇ，１４０Ｂから射出される。つまり、液晶ライトバルブ１４０Ｒ，１４０Ｇ，１４０Ｂが、画像データに応じて、画素毎に異なる透過率で入射光を透過させることによって、階調を有する光学像が色光毎に形成される。液晶ライトバルブ１４０Ｒ，１４０Ｇ，１４０Ｂから射出した各色光からなる光学像は、クロスダイクロイックプリズム１５０に入射する。
【００３２】
クロスダイクロイックプリズム１５０は、各液晶ライトバルブ１４０Ｒ，１４０Ｇ，１４０Ｂから射出された各色の光学像を、画素毎に合成してカラー画像を表す光学像を形成する。クロスダイクロイックプリズム１５０によって合成された光学像は、投写レンズ１６０によってスクリーンＳＣに拡大投写され、画像として表示される。
【００３３】
図７に戻って、制御部３０は、ＣＰＵ（Central Processing Unit）、フラッシュＲＯＭ（Read Only Memory）等の書き換え可能な不揮発性メモリからなるＲＯＭ、各種データの一時記憶等に用いられるＲＡＭ（Random Access Memory）、及びその他の電気回路等（いずれも図示せず）を備え、コンピュータとして機能するものである。制御部３０は、ＣＰＵがＲＯＭに記憶されている制御プログラムに従って動作することにより、プロジェクタ１の動作を統括制御する。なお、ＲＯＭには、上記制御プログラムの他に、各種設定値等が記憶される。
【００３４】
操作パネル３１は、前述したようにプロジェクタ１に対して各種指示を行うためのものであり、ユーザが操作パネル３１を操作すると、操作パネル３１は、ユーザの操作内容に応じた操作信号を制御部３０に出力する。なお、操作パネル３１に代えて、或いは操作パネル３１とともに、遠隔操作が可能なリモコン（図示せず）を備えた構成としてもよい。この場合、リモコンは、ユーザの操作内容に応じた赤外線の操作信号を発し、図示しないリモコン信号受信部がこれを受信して制御部３０に伝達する。
【００３５】
画像データ変換部３２は、外部の図示しない画像供給装置（画像再生装置やパーソナルコンピュータ等）から各種形式の画像データを入力可能となっており、入力された画像データを、制御部３０の指示に基づいて、画像データ処理部３３で処理可能な形式の画像データに変換し、画像データ処理部３３に出力する。
【００３６】
画像データ処理部３３は、制御部３０の指示に基づいて、入力された画像データに対して、解像度を液晶ライトバルブ１４０Ｒ，１４０Ｇ，１４０Ｂの解像度（画素数）に合わせる解像度変換や、輝度調整、コントラスト調整、シャープネス調整等の各種画質調整、或いは、メニューやメッセージ等のＯＳＤ（オンスクリーンディスプレイ）画像を合成する処理を施し、処理後の画像データをライトバルブ駆動部３４に出力する。ライトバルブ駆動部３４は、この画像データに基づいて液晶ライトバルブ１４０Ｒ，１４０Ｇ，１４０Ｂを駆動する。
【００３７】
ランプ駆動部３５は、上述したコネクタ５，４４を介してランプユニット４０に接続されており、ランプユニット４０を駆動する。具体的には、制御部３０の指示に基づいて、ランプユニット４０に電源の供給や停止を行うことにより、ランプユニット４０の点灯や消灯を行う。また、ソレノイド駆動部３６は、上述したソレノイド５０を駆動するものであり、制御部３０の指示に基づいて、ソレノイド５０に対する通電やその停止を行う。
【００３８】
ここで、制御部３０には、計時部３０ａが備えられており、ランプユニット４０の累積点灯時間を計測し、計測結果を制御部３０内のＲＯＭに記憶することができるようになっている。具体的には、計時部３０ａは、制御部３０がランプ駆動部３５にランプユニット４０の点灯を指示してから消灯を指示するまでの時間を計測し、ＲＯＭに記憶されている累積点灯時間に、計測時間を加算するとともに、加算後の累積点灯時間をＲＯＭに記憶することで累積点灯時間を更新する。なお、制御部３０は、ユーザが操作パネル３１を用いて所定の操作を行うと、画像データ処理部３３に指示をして、ＲＯＭに記憶された累積点灯時間をＯＳＤ画像として（例えば、メニュー上の一項目として）投写画像に合成して表示させる。また、ユーザが操作パネル３１を用いて累積点灯時間をリセットするための操作を行うと、制御部３０は、累積点灯時間として０の値をＲＯＭに記憶する。
【００３９】
また、制御部３０のＲＯＭには、ランプユニット４０の交換目安時間が記憶されている。交換目安時間は、ランプユニット４０の交換の目安となる時間であり、ランプユニット４０を概ね適正な状態で使用可能な時間（例えば、２０００時間）に設定されている。このため、制御部３０は、累積点灯時間が交換目安時間を超過したか否かを判断することにより、ランプユニット４０が交換すべき状態であるか否かを判定する。
【００４０】
次に、プロジェクタ１の動作について説明する。
図９は、ランプユニット４０を消灯させる際のプロジェクタ１の動作を説明するためのフローチャートである。
ユーザが、投写画像の鑑賞を終え、ランプユニット４０を消灯させるために操作パネル３１の電源キーを操作すると、制御部３０は、当該フローチャートに従って動作する。
【００４１】
図９に示すように、電源キーが操作されると、制御部３０は、ランプ駆動部３５に対して消灯の指示を行う（ステップＳ２０１）とともに、計時部３０ａによって累積点灯時間の更新を行う（ステップＳ２０２）。ランプ駆動部３５が、制御部３０の指示に応じてランプユニット４０に対する電源供給を停止してランプユニット４０が消灯すると、制御部３０は、更新された累積点灯時間と交換目安時間とを比較し、累積点灯時間が交換目安時間を超過しているか否かを判断する（ステップＳ２０３）。この結果、交換目安時間を超過している場合には、ソレノイド駆動部３６に対して、ソレノイド５０に対する通電を指示する（ステップＳ２０４）。
【００４２】
ソレノイド駆動部３６が、制御部３０の指示に応じて、ソレノイド５０に対して通電を行うと、プランジャ５１が突出してランプカバー２４を開放する。この結果、ランプカバー２４が半開きの状態となり、筐体２の上面から突出するため、ユーザは、ランプユニット４０を交換すべきであることを認識することが可能となる。その後、ユーザがランプユニット４０を交換してランプカバー２４を閉じ、操作パネル３１により累積点灯時間をリセットするための操作を行うことで、次回以降、新たなランプユニット４０の累積点灯時間を正確に計測することが可能となる。
【００４３】
なお、更新された累積点灯時間を交換目安時間と比較し、累積点灯時間が交換目安時間を超過しているか否かを判断すること（ステップＳ２０３）は、ランプユニット４０が交換すべき状態であるか否かを判定することになるため、これを行う制御部３０が、本発明の判定部に相当する。
【００４４】
以上説明したように、本実施形態のプロジェクタ１によれば、以下の効果を得ることができる。
（１）本実施形態のプロジェクタ１によれば、制御部３０が、ランプユニット４０が交換すべき状態であると判定した場合に、ソレノイド５０によりランプカバー２４を筐体２から突出させるため、ユーザは、ランプユニット４０を交換すべきであること、及び交換すべきランプユニット４０が収容された位置（ランプ収容部４の位置）を容易に知ることが可能となる。また、ランプカバー２４がソレノイド５０によって半開きの状態となるため、ランプユニット４０の取り外し作業を容易に行うことが可能となる。
【００４５】
（２）本実施形態のプロジェクタ１によれば、ランプユニット４０の消灯中にのみランプカバー２４を突出させるため、画像の鑑賞中にランプカバー２４が突出することがなく、画像の鑑賞が妨げられずに済む。
【００４６】
（第２実施形態）
以下、本発明の第２実施形態に係る投写型表示装置について、図面を参照して説明する。
図１０（ａ）、（ｂ）は、本実施形態に係る投写型表示装置としてのプロジェクタを示す側断面図である。
図１０（ａ）、（ｂ）に示すように、本実施形態のプロジェクタ１は、筐体２の背面側に開口するランプ収容部４を有しており、ランプユニット４０の交換を背面側から行うようになっている。また、ランプカバー２４は備えられておらず、ランプユニット４０を装着した状態では、背面からランプユニット４０が露出した状態となる。
【００４７】
ランプユニット４０は、前記第１実施形態と同様の構成を有しており、ランプユニット４０を、その底面がランプ収容部４の奥側の内壁面４ａと対向するような姿勢でランプ収容部４に挿入すると、ランプユニット４０のコネクタ４４が、内壁面４ａに備えられたコネクタ５に接続される。内壁面４ａのさらに奥側には、複数のプッシュ型のソレノイド５０が配設されている。各ソレノイド５０のプランジャ５１は、水平方向に移動可能になっており、ソレノイド駆動部３６がソレノイド５０に対して通電を行うと、プランジャ５１が突出し、ランプユニット４０を筐体２から脱落させない程度に押し出すことができる。
【００４８】
上記以外の構成については、前記第１実施形態と同一であり、そのブロック図や、消灯時の動作フローとしては、それぞれ図７や図９を参照することができる。即ち、累積点灯時間が交換目安時間を超過した場合には、制御部３０は、ソレノイド駆動部３６に指示をして、ソレノイド５０に対する通電を指示する。これに応じて、ソレノイド駆動部３６がソレノイド５０に対して通電を行うと、プランジャ５１が突出してランプユニット４０を押し出し、筐体２の背面からランプユニット４０を突出させる。これにより、ユーザは、ランプユニット４０を交換すべきであることを認識することが可能となる。
【００４９】
以上説明したように、本実施形態のプロジェクタ１によれば、前記第１実施形態と同様の効果を得ることができる。
【００５０】
（第３実施形態）
以下、本発明の第３実施形態に係る投写型表示装置について、図面を参照して説明する。
図１１は、本実施形態に係る投写型表示装置としてのプロジェクタの概略構成を示すブロック図である。
【００５１】
図１１に示すように、本実施形態のプロジェクタ１は、前記第２実施形態とほぼ同様の構成を有しており、累積点灯時間が交換目安時間を超過すると、ソレノイド５０によってランプユニット４０を背面側に突出させるものであるが、本実施形態のランプユニット４０には、フラッシュＲＯＭ等、書き換え可能な不揮発性メモリからなる記憶部４６が備えられている。
【００５２】
記憶部４６は、第１実施形態における制御部３０内のＲＯＭの代わりに、当該ランプユニット４０の累積点灯時間を記憶するためのものであり、初期的（出荷時点）には０の値が書き込まれている。また、制御部３０は、コネクタ５，４４を通して、記憶部４６に記憶されている累積点灯時間の読み出しや書き換え（更新）を行うことができるようになっている。このため、制御部３０の計時部３０ａは、制御部３０がランプ駆動部３５にランプユニット４０の点灯を指示してから消灯を指示するまでの時間を計測した後、記憶部４６に記憶されている累積点灯時間を読み出して、これに計測時間を加算するとともに、加算後の累積点灯時間を記憶部４６に記憶することで累積点灯時間を更新する。
【００５３】
このように、記憶部４６に累積点灯時間が記憶されていることにより、制御部３０は、ランプ収容部４にランプユニット４０が装着されると、このランプユニット４０が新品か使用済み品か等、ランプユニット４０の使用履歴を知ることが可能となる。
【００５４】
ここで、図９におけるステップＳ２０４において、交換目安時間を超過したランプユニット４０が押し出されると、ユーザは、これに応じて新品のランプユニット４０に交換する必要がある。ただし、本実施形態では、新品のランプユニット４０が準備できていない等の理由で交換作業を先延ばししたい場合に、押し出されたランプユニット４０を再び装着し直すことにより、ランプユニット４０の使用を延長することができるようになっている。
【００５５】
図１２は、ランプユニット４０がランプ収容部４に装着された際の動作を説明するためのフローチャートであり、図９に示したフロー（ステップＳ２０１〜Ｓ２０４）を終えた後の動作処理を示している。なお、制御部３０のＲＯＭには、交換目安時間として、２０００時間が記憶されているものとする。
【００５６】
図１２に示すように、ランプ収容部４にランプユニット４０が装着されると、制御部３０は、当該ランプユニット４０の記憶部４６から累積点灯時間を読み出し（ステップＳ２１１）、交換目安時間（２０００時間）を超過しているか否かを判断する（ステップＳ２１２）。ここで、交換目安時間（２０００時間）を超過している場合には、押し出されたランプユニット４０が再び装着されたと判断し、当初の交換目安時間（２０００時間）に所定の延長時間（例えば、１００時間）を加算した２１００時間を新たな交換目安時間としてＲＯＭに記憶して（ステップＳ２１３）、処理を終了する。これ以降、ランプユニット４０の消灯時のフローにおけるステップＳ２０３（図９参照）では、延長後の交換目安時間（２１００時間）を超過したか否かが判断されることになり、ユーザは、累積点灯時間が２１００時間を超過するまで、ランプユニット４０の使用を延長することが可能となる。なお、装着されたランプユニット４０の累積点灯時間が延長後の交換目安時間（２１００時間）を超過している場合には、新たな時間延長は行わないようにしてもよいし、複数回（例えば、３回程度）の延長を許可するようにしてもよい。
【００５７】
一方、ステップＳ２１２において、新品のランプユニット４０（累積点灯時間が０時間）が装着された場合のように、装着されたランプユニット４０の記憶部４６に記憶されている累積点灯時間が当初の交換目安時間（２０００時間）を超過していない場合には、ステップＳ２１４に移行し、制御部３０は、ＲＯＭに記憶されている交換目安時間が延長されている場合に、それを当初の交換目安時間（２０００時間）に戻して処理を終了する。
【００５８】
以上説明したように、本実施形態のプロジェクタ１によれば、以下の効果を得ることができる。
（１）本実施形態のプロジェクタ１によれば、累積点灯時間を記憶する記憶部４６がランプユニット４０に備えられているため、新たに装着されたランプユニット４０の使用履歴を本体側で知ることが可能となる。この結果、ランプユニット４０を交換するたびに、ユーザがリセット操作を行う必要がなくなるとともに、新たに装着されたランプユニット４０の使用履歴に拘わらず、その交換時期をより正確に知ることが可能となり、適切な時期にランプユニット４０を突出させることが可能となる。
【００５９】
（２）本実施形態のプロジェクタ１によれば、すでに交換すべき状態にあるランプユニット４０が装着された場合に、交換目安時間の延長を行う。つまり、ランプユニット４０の突出動作を所定時間猶予するため、このランプユニット４０を用いた画像の鑑賞が可能となる。この結果、新品のランプユニット４０が手元にない場合のように、ランプユニット４０の交換が困難な状況下でも、画像を鑑賞できなくなる事態を避けることが可能となる。
【００６０】
（変形例）
なお、本発明の実施形態は、以下のように変更してもよい。
前記第１〜第３実施形態では、ランプユニット４０やランプカバー２４を筐体２から突出させる突出部として、ソレノイド５０を用いているが、モータ等を駆動源とするカム機構やクランク機構等を用いるようにしてもよい。或いは、ランプユニット４０やランプカバー２４を突出させるために常時これらを付勢する付勢手段（ばね等）と、付勢によるランプユニット４０やランプカバー２４の移動を抑止する抑止手段とを備え、当該抑止手段による抑止を解除することによって突出させるようにしてもよい。
【００６１】
前記第１〜第３実施形態では、ランプユニット４０の消灯時に、ＲＯＭ或いは記憶部４６に記憶されている累積点灯時間の更新を行うようにしているが、ランプユニット４０を点灯させている間、所定時間（例えば、５分）間隔で累積点灯時間の更新を行うようにしてもよい。
【００６２】
前記第２及び第３実施形態では、ランプカバー２４を備えない構成になっているが、ランプカバー２４がランプユニット４０と一体となった構成とすることもできる。また、第１実施形態と同様に開閉可能なランプカバー２４を備えるとともに、ランプユニット４０の押し出し動作に連動してランプカバー２４が開放するようにしてもよいし、ランプカバー２４の開放とランプユニット４０の押し出しとを個別に駆動するようにしてもよい。
【００６３】
前記第３実施形態では、交換目安時間を超過したランプユニット４０が装着された際に、交換目安時間に所定の延長時間を加算するようにしているが、交換目安時間は固定とし、累積点灯時間から延長時間相当分を減算するようにしてもよい。
【００６４】
前記第３実施形態において、ランプユニット４０に液晶表示装置等の表示手段を備え、記憶部４６に記憶されている累積点灯時間を当該表示手段によってユーザが視認できるようにしてもよい。
【００６５】
前記第１〜第３実施形態では、投写型表示装置として、プロジェクタを例に説明しているが、透過型のスクリーンを一体的に備え、当該スクリーンの背面側から画像の投写を行うリアプロジェクタに適用することも可能である。
【００６６】
前記第１〜第３実施形態では、透過型の液晶ライトバルブ１４０Ｒ，１４０Ｇ，１４０Ｂを用いて光源光の変調を行っているが、反射型の液晶ライトバルブ等、反射型の光変調装置を用いることも可能である。また、入射した光の出射方向を、画素としてのマイクロミラー毎に制御することにより、光源から出射した光を変調する微小ミラーアレイデバイス等を用いることもできる。
【図面の簡単な説明】
【００６７】
【図１】第１実施形態のプロジェクタを示す斜視図。
【図２】第１実施形態のプロジェクタを示す斜視図。
【図３】ランプユニットの概略構成を示す平面図。
【図４】ランプカバーを開いた状態のプロジェクタを上面側から見た平面図。
【図５】（ａ）〜（ｃ）は、ランプカバーの保持構造を説明するための説明図。
【図６】（ａ）、（ｂ）は、ランプ収容部周辺の側断面図。
【図７】プロジェクタの概略構成を示すブロック図。
【図８】画像投写部の構成をより詳細に示す構成図。
【図９】ランプユニットを消灯させる際のプロジェクタの動作を説明するためのフローチャート。
【図１０】（ａ）、（ｂ）は、第２実施形態のプロジェクタを示す側断面図。
【図１１】第３実施形態のプロジェクタの概略構成を示すブロック図。
【図１２】ランプユニットがランプ収容部に装着された際の動作を説明するためのフローチャート。
【符号の説明】
【００６８】
１…プロジェクタ、２…筐体、４…ランプ収容部、１０…画像投写部、２４…ランプカバー、２５…凹部、２６…保持部材、３０…制御部、３０ａ…計時部、３１…操作パネル、３２…画像データ変換部、３３…画像データ処理部、３４…ライトバルブ駆動部、３５…ランプ駆動部、３６…ソレノイド駆動部、４０…ランプユニット、４１…光源ランプ、４６…記憶部、５０…ソレノイド、５１…プランジャ、１１０…照明光学系、１２０…色光分離光学系、１３０…リレー光学系、１４０Ｒ，１４０Ｇ，１４０Ｂ…液晶ライトバルブ、１５０…クロスダイクロイックプリズム、１６０…投写レンズ。
【図１】
2007218948.tif 000003
【図２】
2007218948.tif 000004
【図３】
2007218948.tif 000005
【図４】
2007218948.tif 000006
【図５】
2007218948.tif 000007
【図６】
2007218948.tif 000008
【図７】
2007218948.tif 000009
【図８】
2007218948.tif 000010
【図９】
2007218948.tif 000011
【図１０】
2007218948.tif 000012
【図１１】
2007218948.tif 000013
【図１２】
2007218948.tif 000014